(57)【要約】      （修正有）【課題】調理対象物の適正な加熱により、料理法を改善するとともに、熱源に供給するエネルギを減少させ、地球温暖化ガスの排出量削減を図ることができる調理用熱線反射板を提供する。【解決手段】調理対象物１８に熱線を照射して調理を行う調理器に装着される。調理対象物１８に対向するように配置され、調理対象物１８に照射されるべき熱線の最適強度分布が、調理対象物１８上に設定した直線１４方向に見たときに特定のパタンを示すとき、調理対象物１８に照射される熱線が、特定のパタンの最適強度分布に近づくように、調理対象物１８に向かう熱線の反射面２０に、直線１４方向に沿う凹凸を形成した。【選択図】図２
0003157593.tif 000002
【実用新案登録請求の範囲】
【請求項１】
調理対象物に熱線を照射して調理を行う調理器に装着されるものであって、
前記調理対象物に対向するように配置され、
前記調理対象物に照射されるべき熱線の最適強度分布が、調理対象物上に設定した直線方向に見たときに特定のパタンを示すとき、
前記調理対象物に照射される熱線が、前記特定のパタンの最適強度分布に近づくように、熱源から直接または間接的に入射する熱線を前記調理対象物に向けて反射する反射面に、前記直線方向に沿う凹凸を形成したことを特徴とする調理用熱線反射板。
【請求項２】
請求項１に記載の調理用熱線反射板において、
前記反射面は、前記直線の方向と交叉する方向の折り目に沿って金属板を折り曲げて形成されていることを特徴とする調理用熱線反射板。
【請求項３】
請求項２に記載の調理用熱線反射板において、
前記反射面は、前記直線方向に見たときに、照射されるべき熱線の強度が相対的に低くてよい部分に対向する面が凸面になり、照射されるべき熱線の強度が相対的に高い部分に対向する面が凹面になるように成型されていることを特徴とする調理用熱線反射板。
【請求項４】
請求項１乃至３のいずれかに記載の調理用熱線反射板において、
前記調理対象物に向けた熱線の反射面に、前記折り目と交叉する方向の折り目を形成したことを特徴とする調理用熱線反射板。
【請求項５】
請求項１乃至４のいずれかに記載の調理用熱線反射板において、
使用の対象となる調理対象物の形状を反射板上に表示したことを特徴とする調理用熱線反射板。
【請求項６】
請求項１乃至５のいずれかに記載の調理用熱線反射板において、
熱源の上方に位置決めするための脚を設けたことを特徴とする調理用熱線反射板。
【請求項７】
請求項１乃至６のいずれかに記載の調理用熱線反射板において、
前記反射面の中央部が調理対象物の熱源と対向しない面を向いているとき、調理対象物の側方に張り出して、熱源と対向する受熱部を備え、前記中央部ほど、調理対象物に接近するように折り曲げられて全体として凸面をなしていることを特徴とする調理用熱線反射板。
【考案の詳細な説明】
【技術分野】
【０００１】
本考案は、ガス、電気等の熱源を用いて調理をする場合の加熱環境の改善を図る調理用熱リピータに関する。
【背景技術】
【０００２】
湯を沸かしたり、料理をしたりするときには、どこの家庭でもガスや電気を使用する。飲食店でも同様である。台所において、冷蔵庫の改良による使用電力の低減効果は顕著である。調理器具についても、熱エネルギーの有効利用を図る技術が開発されている。例えば、レンジ内部の温度を均一化するために庫内に反射板を設けたものも開発されている（特許文献１）。
【先行技術文献】
【特許文献】
【０００３】
【特許文献１】特開２００１−６５８７８号公報
【考案の概要】
【考案が解決しようとする課題】
【０００４】
調理には、ガスや電気を用いたレンジが多用されている。例えば、オーブンレンジでは、庫内温度が目的の温度になった状態で調理対象物を収容して、一定時間保持して調理がされる。しかしながら、この場合には、調理対象物の量に応じて加熱時間を調整するものの、調理対象物が大きくても小さくても、庫内を同じ温度に保持する。従って、供給される熱量のうち、実際の調理に有効に利用される熱量は少なく、特に、家庭のように、調理対象物の種類も量もそのつど変わるような場合に、非常に効率の悪い使用のされかたになる。電子レンジを併用する方法や高温水蒸気を使用する方法などによれば、これらの問題点の多くを解決することができる。しかしながら、調理器具自体が高額になるという問題点がある。
本考案は、簡単な構成で調理対象物の、特に熱源と対面していない部分の適正な加熱により、料理法を改善するとともに、熱源に供給するエネルギを減少させ、結果として地球温暖化ガスの排出量削減を図ることができる調理用熱リピータを提供することを目的とする。
【課題を解決するための手段】
【０００５】
以下の構成はそれぞれ上記の課題を解決するための手段である。
〈構成１〉
調理対象物に熱線を照射して調理を行う調理器に装着されるものであって、前記調理対象物に対向するように配置され、前記調理対象物に照射されるべき熱線の最適強度分布が、調理対象物上に設定した直線方向に見たときに特定のパタンを示すとき、前記調理対象物に照射される熱線が、前記特定のパタンの最適強度分布に近づくように、熱源から直接または間接的に入射する熱線を前記調理対象物に向けて反射する反射面に、前記直線方向に沿う凹凸を形成したことを特徴とする調理用熱線反射板。
【０００６】
〈構成２〉
構成１に記載の調理用熱線反射板において、前記反射面は、前記直線の方向と交叉する方向の折り目に沿って金属板を折り曲げて形成されていることを特徴とする調理用熱線反射板。
【０００７】
〈構成３〉
構成２に記載の調理用熱線反射板において、前記反射面は、前記直線方向に見たときに、照射されるべき熱線の強度が相対的に低くてよい部分に対向する面が凸面になり、照射されるべき熱線の強度が相対的に高い部分に対向する面が凹面になるように成型されていることを特徴とする調理用熱線反射板。
【０００８】
〈構成４〉
構成１乃至３のいずれかに記載の調理用熱線反射板において、前記調理対象物に向けた熱線の反射面に、前記折り目と交叉する方向の折り目を形成したことを特徴とする調理用熱線反射板。
【０００９】
〈構成５〉
構成１乃至４のいずれかに記載の調理用熱線反射板において、使用の対象となる調理対象物の形状を反射板上に表示したことを特徴とする調理用熱線反射板。
【００１０】
〈構成６〉
構成１乃至５のいずれかに記載の調理用熱線反射板において、熱源の上方に位置決めするための脚を設けたことを特徴とする調理用熱線反射板。
【００１１】
〈構成７〉
構成１乃至６のいずれかに記載の調理用熱線反射板において、前記反射面の中央部が調理対象物の熱源と対向しない面を向いているとき、調理対象物の側方に張り出して、熱源と対向する受熱部を備え、前記中央部ほど、調理対象物に接近するように折り曲げられて全体として凸面をなしていることを特徴とする調理用熱線反射板。
【考案の効果】
【００１２】
〈構成１の効果〉
焼魚の場合、頭から尾びれに至るまで均一な熱線を照射するよりも、場所に応じて加熱温度を変えたほうが、全体としてむら無く焼ける。しかも、加熱エネルギーを節約できる。既存の調理器にこの熱線反射板を取り付けると、魚を理想的な条件で焼くことができる。熱線の最適強度分布は、焼く魚の大きさや種類によって異なる。魚以外の調理対象物であっても同様である。調理対象物毎に、熱線の最適強度分布を求めておき、調理対象物毎に調理用熱線反射板を準備しておくとよい。
〈構成２の効果〉
比較的複雑な凹凸面を形成するには、反射率が良く熱伝導が良くて、加工性も良い金属板が好ましい。
〈構成３の効果〉
金属板の凹面と凸面により熱線の最適強度分布を実現することができる。
〈構成４の効果〉
折り目と交叉する方向の折り目を形成して、反射板の側方に逃げる熱線を集めることができる。
〈構成５の効果〉
反射板は調理対象物毎に専用品である。調理対象物毎に反射板を使い分けるために、適当な表示が必要である。例えば、実物大の魚の形状の輪郭が金属板に刻まれていれば、大体その位の大きさの魚焼きに共通に使用できる。この表示は利用者にとって非常に有用である。
〈構成６の効果〉
熱源の上方に配置して、熱線を反射させることができる。
〈構成７の効果〉
調理対象物の側方に張り出して、熱源と対向する受熱部が加熱され、熱伝導により反射面の中央部が温度上昇する。この熱が調理対象物を加熱する。中央部ほど調理対象物に接近しているので、調理対象物全体が均一に加熱される。
【図面の簡単な説明】
【００１３】
【図１】実施例１の調理用熱リピータの原理説明図である。
【図２】実施例１の調理用熱リピータの使用状態を示し、（ａ）は調理器１６の横断面図、（ｂ）は調理用熱リピータ１０の斜視図、（ｃ）は調理用熱リピータの平面図である。
【図３】湯沸かしに本考案を使用した例を示す斜視図である。
【図４】調理用熱リピータを熱源の上方に配置した斜視図である。
【図５】熱伝導の効果をより強く利用した調理用熱リピータの側面図である。
【図６】その効果を説明する加熱熱量分布図である。
【考案を実施するための形態】
【００１４】
以下、本考案の実施の形態を実施例毎に詳細に説明する。
【実施例１】
【００１５】
図１は実施例１の調理用熱リピータの原理説明図である。
例えば、図の（ａ）に示すような魚１２を焼く場合を考える。多くの場合には、十分な熱量のヒータやガス等の火で、全体をほぼ均一に加熱する。しかし、焼魚の場合、頭から尾びれに至るまで均一な熱線を照射するよりも、場所に応じて加熱温度を変えたほうが、全体としてむら無く焼ける。実験によれば、図の（ｂ）に示すように、各場所の、最適な加熱熱量は、曲線状に分布している。
【００１６】
このことがわかっていれば、ヒータによる熱線の最適強度分布を調整するとよい。これは、加熱熱量分布を変更しながら繰り返しテストをした結果得られた実験値である。縦軸は加熱熱量、横軸は魚の焼き網部分の位置座標である。図の（ｃ）に平面から見た位置座標を示す。最適強度分布は、焼く魚の大きさや種類によって異なる。魚以外の調理対象物であっても同様である。そこで、本考案では，調理用熱リピータ１０を使用することにより、この熱線の最適強度分布を実現する。既存の調理器にこの調理用熱リピータ１０を取り付けると、魚を理想的な条件で焼くことができる。
【００１７】
図２は、実施例１の調理用熱リピータ１０の使用状態を示し、（ａ）は調理器１６の横断面図、（ｂ）は調理用熱リピータ１０の斜視図、（ｃ）は調理用熱リピータ１０の平面図である。
図において、調理器１６は、例えば、オーブンである。その上部にヒータ１７が配置されている。中央には、網や串等の支持体１９が配置されて、調理対象物１８を支持している。調理用熱リピータ１０は、調理対象物１８に熱線を照射して調理を行う調理器１６に装着されるように構成されているが、ここでは、単に、調理対象物１８の直下にそのまま置くことができる形状にされている。調理用熱リピータ１０は固定しても半固定でも構わない。
【００１８】
なお、この調理対象物１８は図１で説明したとおり、照射されるべき熱線の最適強度分布が、この調理対象物１８上に設定した直線１４方向に見たときに特定のパタンを示すものとする。調理用熱リピータ１０は、図のように、調理対象物１８に対向するように配置される。調理用熱リピータ１０は、熱源であるヒータ１７から直接または間接的に入射する熱線を調理対象物１８に向けて反射する反射面を有する。この反射面２０に、直線１４の方向に沿う凹凸を形成したので、調理対象物に照射される熱線が、特定のパタンの最適強度分布に近づく。しかも、必要な熱線が集中的に調理対象物に集まるから、加熱エネルギーを節約できる。
【００１９】
照射されるべき熱線の最適強度分布は、調理対象物毎に異なるから、調理対象物毎に調理用熱リピータ１０を準備しておく。そして、各調理用熱リピータ１０を区別するために、
例えば、図２の（ｃ）に示すように、使用の対象となる調理対象物１８の形状２８を反射板上に表示するとよい。例えば、実物大の魚の形状の輪郭が金属板に刻まれていれば、大体その位の大きさの魚焼きに共通に使用できる。この表示は利用者にとって非常に有用である。
【００２０】
なお、調理用熱リピータ１０を金属板で形成し、反射面２０は、直線１４の方向と交叉する方向の折り目２２に沿って金属板を折り曲げて形成するとよい。反射率が良く加工性も良いので、比較的複雑な凹凸面を形成することができる。
【００２１】
このとき、反射面２０は、直線１４の方向に見たときに、凸面２６と凹面２４を備える。凸面２６は、照射されるべき熱線の強度が相対的に低くてよい部分に対向する面に形成する。凹面２４は、照射されるべき熱線の強度が相対的に高い部分に対向する面に形成する。
【００２２】
なお、上記の調理用熱リピータ１０は、単に反射面に入射する熱線を反射するだけではない、熱源に直接対向した部分で熱源から受けた熱を、熱源に対向していない部分に伝搬させる。即ち、熱伝導によって、調理用熱リピータ１０全体が高温になり、新たな熱源になる。これにより、熱源を調理対象物の前周に配置しなくても、調理対象物の全周を均一に加熱することが可能になる。従って、熱源を省略し、あるいは火力を抑えて、従来どおり、あるいはそれ以上の調理ができる。
【実施例２】
【００２３】
図３は湯沸かしに本考案を使用した例を示す斜視図である。
図のように、やかん３０をコンロ３２に乗せて湯を沸かすとき、通常は多量の熱量が周辺に放射される。本考案では、コンロ３２を挟むように一対の調理用熱リピータ１０を配置する。各調理用熱リピータ１０は、このやかん３０に照射される熱線が、特定のパタンの最適強度分布に近づくように、金属板を折り曲げて形成されている。この例では、平行な多数の折り目２２を設けた。また、この折り目２２以外に、折り目２２と交差する別の方向の折り目３４を設けている。即ち、この調理用熱リピータ１０は折り目２２の方向とこれと垂直に交差する方向とに、２次元的な最適温度分布を形成している。これによって、十分無駄な熱量の削減ができる。もちろん、調理用熱リピータ１０全体が高温になって、やかん３０の全周を均一に加熱する効果もある。
【００２４】
なお、図３の例では、調理用熱リピータ１０は特に他の支えも無しで自立している。このように、平行な多数の折り目で折り曲げたものは、自立可能なため、セットも取り外しも非常に簡単である。もちろん必要に応じて、支柱や台になる部分を設けても構わない。一体プレス構造であればコストも安く、量産できるという効果がある。本考案の調理用熱リピータ１０は、このように、複数枚を数カ所に並べて使用してもよい。また、数枚を重ね合わせて使用しても構わない。さらに、上記の例では、直線的な折り目を付けて反射板を折り曲げたが、例えば、プレス成形によりさらに複雑な凹凸を設けることもできる。
【実施例３】
【００２５】
図４は、調理用熱リピータを熱源の上方に配置した斜視図である。
この例では、焼き鳥３７をコンロ３２の上に乗せて焼く従来の装置に、その上部を覆うように調理用熱リピータ１０を配置した。この例では、調理用熱リピータ１０を熱源の上方に位置決めするために４本の脚を設けた。これにより、上方に逃げる無駄な熱量が下方に反射される。また、全体を完全に覆うのでないから、煙も側方に逃がすことができる。さらに、横から焼き鳥３７の状態を見ることができるので、焼き加減も確認できる。必要ならば、調理用熱リピータ１０の任意の場所に孔を明けて、上から焼き鳥３７の焼き加減を見ることができるようにしても構わない。上記のいずれの実施例も、構造が簡単で他の調理器具から独立しているので、洗浄や片付けも容易である。また、脚を使用せずにマグネットやフックで固定しても構わない。
【実施例４】
【００２６】
図５は熱伝導の効果をより強く利用した調理用熱リピータの側面図である。また、図６は、その効果を説明する加熱熱量分布図である。
図５の例では、熱源１７と調理用熱リピータ１０とが、調理対象物１８を両側から挟むように配置されている。また、調理用熱リピータ１０は、調理対象物１８の側方に大きく張り出した部分を備える。この部分を受熱部４０と呼ぶことにする。受熱部４０は十分に広く、ヒータ１７に対向し、ヒータ１７に近い位置に配置される。調理対象物１８は金網のような支持体１９に支持されて、ほぼ平坦に配置されているものとする。また、調理用熱リピータ１０は受け皿３６の上に置ける程度の寸法に設計されている。
【００２７】
調理用熱リピータ１０の受熱部４０とこれに近い部分は、ヒータ１７から直接入射する熱線を受けて、調理対象物１８の方向に反射する。これに対して、調理用熱リピータ１０の中央に近い部分には、ヒータ１７の発する熱線が届かない。調理用熱リピータ１０の反射面の中央部は、調理対象物１８の熱源と対向しない面を向いている。調理対象物１８の熱源と対向しない面にも、熱線は届かない。しかし、受熱部４０は、ヒータ１７の熱線を受けて高温になる。この熱は、熱伝導により調理用熱リピータ１０の中央部に伝わる。
【００２８】
ここで、調理用熱リピータ１０は、その中央部ほど、調理対象物１８に接近するように折り曲げられ全体として凸面をなしている。調理用熱リピータ１０の中央部が調理対象物１８に接近しているから、調理用熱リピータ１０から放射される輻射熱が調理対象物１８を有効に加熱する。即ち、調理対象物１８の側方に張り出した部分は、吸熱と、熱線の反射と、輻射と、伝熱に寄与する。
【００２９】
以上のことから、図６に示すように、調理対象物１８の下面に照射される熱量は、グラフのようになる。このグラフは図１（ｂ）と同様のものである。グラフの一点鎖線は、調理用熱リピータ１０を使用しない場合である。調理対象物１８の下面は、その中央ほど熱を受けにくい。グラフの実線は、調理用熱リピータ１０を使用した場合である。調理対象物１８の下面は、全体として平均に加熱される。しかも、加熱される熱量が増大している。
【００３０】
以上の実施例で、干物、焼き魚、鮭の切り身、焼きタラコ等を調理したところ、加熱時間が数割ほど短縮された。また、全体としてふっくらと焼き上がり、食味食感の改善がみられた。焼きむらが減るため、表面が非常に綺麗に焼けることもわかった。特に、焼き魚は、隅々までむら無く焼けるため、食べられる部位が増えて、食材の残渣が減少した。例えば、オーブンで、ヒータの位置が下にあるもの、上下にあるもの、左右にあるものがある。ヒータの位置が下にあるものとしては、焼き鳥調理機やバ−べ−キュー調理機等が知られている。これらについても、例えば、ヒータの面積を減らして本考案の調理用熱リピータ１０を各所に配置すると、全体として調理に必要な熱量を大幅に減少させることができる。
【符号の説明】
【００３１】
１０  調理用熱リピータ
１２  魚
１４  直線
１６  調理器
１７  ヒータ
１８  調理対象物
１９  支持体
２０  反射面
２２  折り目
２４  凸面
２６  凹面
２８  形状表示
３０  やかん
３２  コンロ
３４  折り目
３６  受け皿
３７  焼き鳥
４０  受熱部
【図１】
0003157593.tif 000003
【図２】
0003157593.tif 000004
【図３】
0003157593.tif 000005
【図４】
0003157593.tif 000006
【図５】
0003157593.tif 000007
【図６】
0003157593.tif 000008
【手続補正書】
【提出日】平成21年12月7日(2009.12.7)
【手続補正１】
【補正対象書類名】実用新案登録請求の範囲
【補正対象項目名】全文
【補正方法】変更
【補正の内容】
【実用新案登録請求の範囲】
【請求項１】
調理対象物に熱線を照射して調理を行う調理器に装着されるものであって、
前記調理対象物に対向するように配置され、
前記調理対象物に照射されるべき熱線の最適強度分布が、調理対象物上に設定した直線方向に見たときに特定のパタンを示すとき、
前記調理対象物に照射される熱線が、前記特定のパタンの最適強度分布に近づくように、熱源から直接または間接的に入射する熱線を前記調理対象物に向けて反射する反射面に、前記直線方向に沿う凹凸を形成したことを特徴とする調理用熱線反射板。
【請求項２】
請求項１に記載の調理用熱線反射板において、
前記反射面は、前記直線方向と交叉する方向の折り目に沿って金属板を折り曲げて形成されていることを特徴とする調理用熱線反射板。
【請求項３】
請求項２に記載の調理用熱線反射板において、
前記反射面は、前記直線方向に見たときに、照射されるべき熱線の強度が相対的に低くてよい部分に対向する面が凸面になり、照射されるべき熱線の強度が相対的に高い部分に対向する面が凹面になるように成型されていることを特徴とする調理用熱線反射板。
【請求項４】
請求項２または３のいずれかに記載の調理用熱線反射板において、
前記調理対象物に向けた熱線の反射面に、前記折り目と交叉する方向の折り目を形成したことを特徴とする調理用熱線反射板。
【請求項５】
請求項１乃至４のいずれかに記載の調理用熱線反射板において、
使用の対象となる調理対象物の形状を反射板上に表示したことを特徴とする調理用熱線反射板。
【請求項６】
請求項１乃至５のいずれかに記載の調理用熱線反射板において、
熱源の上方に位置決めするための脚を設けたことを特徴とする調理用熱線反射板。
【請求項７】
請求項１乃至６のいずれかに記載の調理用熱線反射板において、
前記反射面の中央部が調理対象物の熱源と対向しない面を向いているとき、調理対象物の側方に張り出して、熱源と対向する受熱部を備え、前記中央部ほど、調理対象物に接近するように折り曲げられて全体として凸面をなしていることを特徴とする調理用熱線反射板。